(57)【要約】      （修正有）【課題】木造建築物において沈下した柱を簡単に元の高さに戻すことができるだけでなく、太さが異なる柱に対して同一のブラケットで対応可能で、しかも、構造も簡単で設置も容易に行える既設柱の沈下修正用器具を提供する。【解決手段】昇降体を備えた一対のジャッキ装置１と、柱Ｐの側面に当接させる取付け板２１と、この取付け板２１の中央に断面形状がＴ型となるように垂直に突き出して設けられた片持ち板２２とを備える。更に片持ち板２２を挟む取付け板２１の両側部位に、それぞれ異なる数のボルト孔が設けられた一対のＴ型ブラケット２と、柱Ｐに穿設された水平方向の貫通孔Ｈと各ボルト孔が連通するように一対のＴ型ブラケット２・２を配置した状態で、これらの連通孔に挿通可能な長さを有するボルト材３１、及びナット材３２を組み合わせた締結部材３とを含んで既設柱の沈下修正用器具を構成した。【選択図】図１
0003189210.tif 000002
【実用新案登録請求の範囲】
【請求項１】
既設木造建築物の沈下した柱(Ｐ)を持ち上げて高さを調節するために用いられる既設柱の沈下修正用器具であって、
前記柱(Ｐ)の両脇にそれぞれ配置され、手動または自動で昇降操作が可能な昇降体(12)を備えた一対のジャッキ装置(１)(１)と；前記柱(Ｐ)の対向側面にそれぞれ固定されるジャッキ受け用の金具であって、柱(Ｐ)の側面に当接させる取付け板(21)と、この取付け板(21)の中央に断面形状がＴ型となるように垂直に突き出して設けられた片持ち板(22)とを備え、更に前記片持ち板(22)を挟む取付け板(21)の両側部位に、それぞれ異なる数のボルト孔(21a)が設けられた一対のＴ型ブラケット(２)(２)と；前記柱(Ｐ)に穿設された水平方向の貫通孔(Ｈ)と各ボルト孔(21a)が連通するように一対のＴ型ブラケット(２)(２)を配置した状態で、これらの連通孔に挿通可能な長さを有するボルト材(31)、及びこのボルト材(31)に螺着されて前記Ｔ型ブラケット(２)(２)を柱(Ｐ)に対して締付け可能なナット材(32)を組み合わせた締結部材(３)とを含んで成り、
前記締結部材(３)のボルト材(31)を下側に配置されたボルト孔(21a)に挿通してＴ型ブラケット(２)(２)を柱(Ｐ)に固定した状態で、Ｔ型ブラケット(２)(２)の片持ち板(22)(22)の下方にジャッキ装置(１)(１)を配置して、Ｔ型ブラケット(２)(２)を柱(Ｐ)ごとジャッキアップ可能としたことを特徴とする既設柱の沈下修正用器具。
【請求項２】
Ｔ型ブラケット(２)の取付け板(21)における片持ち板(22)を挟む両側部位の少なくとも一方と片持ち板(22)との間に、補強部材(23)が斜めに架け渡された状態で設けられていることを特徴とする請求項１記載の既設柱の沈下修正用器具。
【請求項３】
Ｔ型ブラケット(２)にＨ型鋼のウェブを長さ方向に切断して作製されたＴ型鋼が使用されていることを特徴とする請求項１または２に記載の既設柱の沈下修正用器具。
【考案の詳細な説明】
【技術分野】
【０００１】
本考案は、既設柱の沈下修正用器具の改良、詳しくは、木造建築物において沈下した柱を簡単に元の高さに戻すことができ、また沈下した柱を持ち上げる際にずり落ち等の問題が生じることもなく、しかも、構造も簡単で設置も容易な既設柱の沈下修正用器具に関するものである。
【背景技術】
【０００２】
一般的に、木造家屋等においては、地盤の支持力不足や建物の荷重の偏り、地震、地盤の液状化等によって、一部の柱が沈み込む現象(不同沈下)が起きる。そして、この状態を放置すると、構造的な歪みによって壁に亀裂が生じたり、またドア枠や窓枠の歪みによってドアや窓が閉まり難くなったりする問題が生じる。
【０００３】
そのため、従来においては、上記問題を回避するために沈下した柱をジャッキアップして、空いたスペースに所定厚みのスペーサを噛ませることにより元の高さに戻す対策が採られているが、通常、柱の側面部にはジャッキ受けの持出し部分がないため、沈下修正の際には、柱に取り付けるジャッキ受け用のブラケットが必要となる。
【０００４】
そこで、従来、ジャッキ受け用のブラケットとして、ボルト・ナットで柱に締め付けて固定するタイプのブラケットが開発されているが(特許文献１,２参照)、これらのブラケットは、ジャッキアップ時に柱から鉛直下方に受ける荷重を摩擦力で吸収する構造であったため、過大な荷重を受けた際に柱がブラケットからずり落ちる危険があった。
【０００５】
また、上記従来のブラケットは、柱との摩擦力を高めるために接触面に摩擦係数の高い材料を使用する等、構造が複雑化し易いだけでなく、柱から受ける荷重を吸収できる摩擦力を確保するために、柱に対してブラケットを強固に締め付ける必要があったため、ブラケットの取付け作業に取られる手間や時間も大きかった。
【０００６】
また他にも、従来においては、柱の下の土台に孔を開け、この孔に締結部材のボルトを挿し通してブラケットを取り付ける方法も公知となっているが(特許文献３参照)、このタイプのブラケットは、太さの異なる柱に直接ブラケットを固定したい場合に、締結部材のボルトの本数や位置を調節することができないという問題があった。
【先行技術文献】
【特許文献】
【０００７】
【特許文献１】特開平２−２８９７６８号公報
【特許文献２】特開２００９−１９７４号公報
【特許文献３】特開２０００−１７０３９５号公報（段落番号[0003]に記載）
【考案の開示】
【考案が解決しようとする課題】
【０００８】
本考案は、上記の如き問題に鑑みて為されたものであり、その目的とするところは、木造建築物において沈下した柱を簡単に元の高さに戻すことができるだけでなく、沈下した柱を持ち上げる際にずり落ち等の生じる危険もなく、また太さが異なる柱に対してブラケットを不都合なく取付け可能で、しかも、構造も簡単で設置も容易に行える既設柱の沈下修正用器具を提供することにある。
【課題を解決するための手段】
【０００９】
本考案者が上記課題を解決するために採用した手段を添付図面を参照して説明すれば次のとおりである。
【００１０】
即ち、本考案は、既設木造建築物の沈下した柱Ｐを持ち上げて高さを調節するために用いられる既設柱の沈下修正用器具であって、
前記柱Ｐの両脇にそれぞれ配置され、手動または自動で昇降操作が可能な昇降体を備えた一対のジャッキ装置１・１と；前記柱Ｐの対向側面にそれぞれ固定されるジャッキ受け用の金具であって、柱Ｐの側面に当接させる取付け板21と、この取付け板21の中央に断面形状がＴ型となるように垂直に突き出して設けられた片持ち板22とを備え、更に前記片持ち板22を挟む取付け板21の両側部位に、それぞれ異なる数のボルト孔21aが設けられた一対のＴ型ブラケット２・２と；前記柱Ｐに穿設された水平方向の貫通孔Ｈと各ボルト孔21aが連通するように一対のＴ型ブラケット２・２を配置した状態で、これらの連通孔に挿通可能な長さを有するボルト材31、及びこのボルト材31に螺着されて前記Ｔ型ブラケット２・２を柱Ｐに対して締付け可能なナット材32を組み合わせた締結部材３とを含んで既設柱の沈下修正用器具を構成し、
更に前記締結部材３のボルト材31を下側に配置されたボルト孔21a・21aに挿通してＴ型ブラケット２・２を柱Ｐに固定した状態で、それぞれのＴ型ブラケット２・２の片持ち板22・22の下方にジャッキ装置１・１を配置して、Ｔ型ブラケット２・２を柱Ｐごとジャッキアップ可能とした点に特徴がある。
【００１１】
また、上記Ｔ型ブラケット２の取付け板21における片持ち板22を挟む両側部位の少なくとも一方と片持ち板22との間に、補強部材23を斜めに架け渡した状態で設けることにより、ジャッキアップ時に受ける負荷によって片持ち板22が曲がったり折れたりする事態を防止することができる。
【００１２】
また更に、上記Ｔ型ブラケット２・２については、Ｈ型鋼のウェブを長さ方向に切断して作製されたＴ型鋼を使用して簡単に作製することができる。
【考案の効果】
【００１３】
本考案では、ジャッキ受け用の金具として、取付け板と片持ち板とから成るＴ型ブラケットを使用し、更に柱の所定位置に設けた水平方向の貫通孔と、左右のＴ型ブラケットのボルト孔とに締結部材であるボルト材を挿通してナット材で締め付けることにより、Ｔ型ブラケットを木造建築物の柱に簡単に固定することが可能となる。
【００１４】
そして、上記締結部材で固定したＴ型ブラケットを柱ごとジャッキアップして、部分的に沈下した柱を他の柱と同じ高さまで持ち上げた後、柱下方の空いたスペースに、持ち上げた高さと同じ厚みのスペーサ(鋼板等)を噛ませることによって、不同沈下した柱を建築物に構造的な歪みが生じない正常な状態へと戻すことができる。
【００１５】
しかも、本考案では、上記ブラケットの取付け板における片持ち板を挟む両側部位に数が異なるボルト孔をそれぞれ設けたことにより、ブラケットを上下反転させるだけで柱に挿通するボルトの本数や位置を調節することができ、これによって、太さが異なる柱に対しても、同じブラケットで対応することが可能となる。
【００１６】
具体的には、細い柱にブラケットを取り付ける際には、貫通孔を設け過ぎると柱の強度が低下するため、ボルト孔が少ない側を下側にして使用し、また太い柱に取り付ける際には、ボルトの本数が少ないと柱からの荷重によってボルトが折れる危険があるため、荷重を分散できるようにボルト孔が多い側を下側にして使用する。
【００１７】
また、本考案では、柱に挿通したボルト材によって、ジャッキアップ時に柱から受ける鉛直下方の荷重を吸収することができるため、摩擦係数の高い材料を使用してブラケットの構造を複雑にする必要もない。また同様の理由で、柱に対するブラケットの締付け作業も緩みが生じない程度に行えばよいため、取付け作業も迅速に行える。
【００１８】
また更に、本考案では、上記柱に挿通したボルト材によって、ジャッキアップした柱を支えることができるため、柱から大きな荷重がかかった場合でも柱がブラケットからずり落ちる心配はない。また上記で述べたように、ブラケットの向きによってボルト本数を調節することができるため、荷重でボルトが折れる心配もない。
【００１９】
したがって、本考案により、沈下した柱の高さをジャッキ装置によって簡単に修正することができるだけでなく、ブラケットの取付け作業の効率性やジャッキアップ作業時の安全性も改善でき、しかも、製造コストも低廉に抑えられる既設柱の沈下修正器具を提供できることから、本考案の実用的利用価値は頗る高い。
【図面の簡単な説明】
【００２０】
【図１】本考案の実施例１における既設柱の沈下修正用器具を表わす概略図である。
【図２】本考案の実施例１におけるＴ型ブラケットを表わす全体斜視図及び正面図である。
【図３】本考案の実施例１における既設注の沈下修正用器具の使用状態を表わす状態説明図である。
【考案を実施するための形態】
【００２１】
『実施例１』
本考案の実施例１について、図１〜図３に基いて説明する。なお同図において、符号１で指示するものは、ジャッキ装置であり、符号２で指示するものは、Ｔ型ブラケットである。また符号３で指示するものは、締結部材である。
【００２２】
[ジャッキ装置]
まず実施例１では、既設柱の沈下修正用器具を構成する道具として、設置面に載置される基台部11と、基台部11上に鉛直方向に配置されたシリンダ12と、このシリンダ12内を上下動する昇降体13とを備えたジャッキ装置１を使用している(図１参照)。また本実施例では、ジャッキ装置１に操作レバー14を備えた手動式の油圧ジャッキを使用している。
【００２３】
[Ｔ型ブラケット]
また他にも、柱Ｐの対向側面にそれぞれ固定されるジャッキ受け用の金具として、図２(a)及び(b)に示すＴ型ブラケット２・２を一対で使用している。なお、このＴ型ブラケット２は、柱Ｐの側面に当接させる取付け板21と、この取付け板21の中央に断面形状がＴ型となるように垂直に突き出して設けられた片持ち板22とを備えた形状となっている。
【００２４】
また更に、上記Ｔ型ブラケット２については、片持ち板22を挟む取付け板21の両側部位に、それぞれ異なる数のボルト孔21a・21a…を設けている。具体的に本実施例では、片持ち板22を挟む取付け板21の一方側にボルト孔21aを一つ設けると共に、他方側にボルト孔21a・21aを二つ並設している。
【００２５】
また本実施例では、上記Ｔ型ブラケット２・２を、Ｈ型鋼のウェブを長さ方向に切断して作製されたＴ型鋼を使用すると共に、片持ち板22を挟む取付け板21の両側部位の一方と片持ち板22との間に、補強部材23を斜めに架け渡して設けている。なお本実施例では、補強部材23に鋼板を使用し、Ｔ型ブラケット２に溶着して固定している。
【００２６】
[締結部材]
そして更に、本実施例では、上記Ｔ型ブラケット２・２を柱Ｐに固定する部品として締結部材３を使用し、この締結部材３は、柱Ｐに穿設された水平方向の貫通孔Ｈと各ボルト孔21aが連通するように一対のＴ型ブラケット２・２を配置した状態で、これらの連通孔に挿通可能な長さを有するボルト材31と、このボルト材31に螺着してＴ型ブラケット２・２を柱Ｐに対して締付け可能なナット材32とから構成している。
【００２７】
[器具の使用方法について]
次に、上記構成から成る既設柱の沈下修正用器具の使用方法について以下に説明する。まず、墨出し器やレーザ水平器等を使って木造建築物の柱Ｐの沈下量を計測し、他の柱よりも大きく沈下している柱Ｐを特定する。そして、この柱Ｐの下部の所定位置に水平方向の貫通孔Ｈをドリル等で穿設する。
【００２８】
次に、上記柱Ｐの対向側面に、柱Ｐの貫通孔Ｈと各ボルト孔21aが連通するように一対のＴ型ブラケット２・２を配置した状態で、下側に配置されたボルト孔21aに締結部材３のボルト材31を挿通する。そして、挿通したボルト材31にナット材32を螺着して、Ｔ型ブラケット２・２を柱Ｐに対して緩みが生じないように締め付け固定する。
【００２９】
なお上記の際、柱Ｐの太さに応じて貫通孔Ｈの数や位置を選択することができ、またこの貫通孔Ｈの位置や数に対応したボルト孔21aが設けられた部位が下側を向くようにＴ型ブラケット２の上下向きを選択することにより、太さの異なる柱Ｐに対して同じＴ型ブラケット２を使い回すことができる。
【００３０】
そして、上記Ｔ型ブラケット２・２を柱Ｐに固定した後は、柱Ｐ両脇の片持ち板22・22の下方にジャッキ装置１・１を配置し、その後、図３(a)に示すように、操作レバー14・14を操作して昇降体13・13を上昇させることによってＴ型ブラケット２・２を柱Ｐごと沈下量に応じた分だけ持ち上げ、柱Ｐの下に持ち上げた高さ分の隙間Ｓを作出する。
【００３１】
なおこの際、Ｔ型ブラケット２の取付け板21と片持ち板22の間には、補強部材23を設けているため、ジャッキアップ時に片持ち板22および片持ち板22の固定端が受ける負荷を補強部材23が分散・吸収することができる。よって、ジャッキアップ時にＴ型ブラケット２の片持ち板22が曲がったり折れたりする心配は殆どない。
【００３２】
その後、図３(b)に示すように、上記柱Ｐの下に作出された隙間Ｓに、隙間Ｓに対応した厚み分のスペーサＡ(本実施例では、鋼板)を挿入して、ジャッキアップした柱Ｐの高さを維持する。そして、これを木造建築物の沈下した柱Ｐ全てに行って、高さを元に戻すことにより柱Ｐが不同沈下した状態を解消することができる。
【００３３】
本考案は、概ね上記のように構成されるが、本考案は図示の実施形態に限定されるものでは決してなく、「実用新案登録請求の範囲」の記載内において種々の変更が可能であって、例えば、ジャッキ装置１には、手動式のものだけでなく自動で昇降体13を上下動させられるものを使用することもでき、油圧式以外の機械式やガス式のジャッキ装置１を使用することもできる。
【００３４】
また、Ｔ型ブラケット２の材質等に関しても、ジャッキアップ時の荷重に耐えられる強度を有するものであれば、他の金属材料を使用することもできる。また更に、Ｔ型ブラケット２の取付け板21に設けるボルト孔21aの数や位置に関しても、片側にボルト孔21aを３つ以上配置したり、ボルト孔21aを複数段で配置したりすることもできる。
【００３５】
そしてまた、Ｔ型ブラケット２の補強部材23に関しても、Ｔ型ブラケット２に溶接等でしっかりと固定することができ、またジャッキアップ時の荷重に耐えることが可能な一定以上の強度を有する材料を選択して使用でき、上記何れのものも本考案の技術的範囲に属する。
【産業上の利用可能性】
【００３６】
近年、木造建築物において、地震や地盤不良、荷重の偏り等を原因とする不同沈下の問題が大きくなっている。そのような中で、本考案の既設柱の沈下修正用器具は、簡単に沈下した柱を元の高さに修正できるだけでなく、効率的かつ安全に作業を行える有用な技術であることから、その産業上の利用価値は非常に高い。
【符号の説明】
【００３７】
１  ジャッキ装置
11  基台部
12  シリンダ
13  昇降体
14  操作レバー
２  Ｔ型ブラケット
21  取付け板
21a  ボルト孔
22  片持ち板
23  補強部材
３  締結部材
31  ボルト材
32  ナット材
Ｐ  柱
Ｈ  貫通孔
Ｓ  隙間
Ａ  スペーサ
【図１】
0003189210.tif 000003
【図２】
0003189210.tif 000004
【図３】
0003189210.tif 000005